(57)【特許請求の範囲】
【請求項１】
信号面とレーベル面とを有する光記録媒体において、光記録媒体の情報内容を表示した自己粘着性シートが信号面にその保護のために剥離可能に貼着されており、且つ該自己粘着性シートは、信号面から剥離された場合に光記録媒体のレーベル面に対して再貼着再剥離が可能な情報記入用の自己粘着性シートとして使用できることを特徴とする光記録媒体。
【請求項２】
信号面が、ポリカーボネートまたはアモルファスポリオレフィンからなる請求項１記載の光記録媒体。
【請求項３】
自己粘着性シートが、塩化ビニルシートからなる請求項１記載の光記録媒体。
【請求項４】
プラスチックス基板、有機色素層、金層及び樹脂層が順次積層され、該プラスチックス基板が信号面を構成する請求項１記載の光記録媒体。
【発明の詳細な説明】
【０００１】
【発明の属する技術分野】
本発明は、ＣＤ−Ｒ（Ｒｅｃｏｒｄａｂｌｅ）等の光記録媒体の信号面の保護方法に関する。
【０００２】
【従来の技術】
近年、情報の高密度記録媒体として、ＣＤ−Ｒ、ＣＤ、ＭＯ、ＭＤ、ＬＤ等のディスク状の光記録媒体が使用されるようになっている。光記録媒体は種々の層構成を有することができるが、例えばＣＤ−Ｒは、一般に図２のように信号面Ａを形成するポリカーボネート層１、有機色素層２、金層３、レーベル面Ｂを形成する樹脂層４が順次積層した構成を有している。あるいは、このポリカーボネート層１に代えてアモルファスポリオレフィン層が設けられている。
【０００３】
このような信号面Ａは、その性質上、指紋、傷、埃、その他の汚れに非常に弱い。そのため、ＣＤ−Ｒを未記録状態で出荷する場合には、この信号面Ａを厳格に保護することが必要となる。そこで、従来より未記録のＣＤ−Ｒの出荷に際しては、記録後のＣＤ−Ｒを市販する場合に使用するプラスチックトレイおよびケースと同一のものを使用して収納し、さらにポリ袋に入れてＣＤ−Ｒの信号面が外部と不要に接触しないように厳格に保護することが行われている。
【０００４】
一方、ＣＤ−Ｒのレーベル面Ｂには記録内容の情報等を記入できるようにするという要請が強い。しかし、レーベル面Ｂを形成している樹脂層４はその厚さが薄いため、通常のペンを使用することはできない。特殊なペンで行うか、あるいは予め情報を書き入れた粘着性テープ等を貼り付けることが許容されているにすぎない。
【０００５】
【発明が解決しようとする課題】
上述のように、未記録のＣＤ−Ｒは出荷に際してプラスチックトレイやケースに収納されているが、このためにプラスチックトレイやケースに要するコストが高くなり、さらに容積および重量もその分増加し、出荷に要するトータルコストが非常に高くなるという問題点があった。
【０００６】
また、ＣＤ−Ｒのレーベル面に記録内容等の情報の記入に関して、特殊なペンを使用しなくてはならないことは利便性に欠ける。さらに、一旦情報を記入した後、その情報を見栄えよく訂正することは容易でない。情報の訂正が容易でないことは粘着性テープを使用する場合も同様である。これは、ＣＤ−Ｒのレーベル面に貼着したものを剥離することは通常厳しく禁じられているからである。
【０００７】
本発明は以上のような従来技術の課題を解決しようとするものであり、光記録媒体の信号面を簡便に低コストに保護できるようにすること、及びレーベル面への情報の記入・訂正を容易にできるようにすることを目的としている。
【０００８】
【課題を解決するための手段】
本発明者は、光記録媒体の信号面に自己粘着性シートを貼ると信号面の保護に際してプラスチックトレイやケースが不要となること、及び信号面の保護のために使用した自己粘着性シートは、信号面から剥離後、ＣＤ−Ｒのレーベル面に対して再貼着再剥離可能な情報記入用の粘着シートとして使用できることを見出し、本発明を完成させるに至った。
【０００９】
即ち、本発明は、信号面とレーベル面とを有する光記録媒体において、光記録媒体の情報内容を表示した自己粘着性シートが信号面にその保護のために剥離可能に貼着されており、且つ該自己粘着性シートは、信号面から剥離された場合に光記録媒体のレーベル面に対して再貼着再剥離が可能な情報記入用の自己粘着性シートとして使用できることを特徴とする光記録媒体を提供する。
【００１０】
【発明の実施の形態】
本発明の光記録媒体における自己粘着性シートは、自己（静電）粘着性を示す樹脂シートであり、接着剤を別途使用することなく被貼着面に貼着し、しかもその樹脂シートを剥離した場合に被貼着面にその樹脂シートの粘着性成分を実質上移行させないものである。したがって、光記録媒体の信号面に自己粘着性シートを貼着することにより、その信号面を指紋、傷、埃などから良好に保護することが可能となる。よって、未記録状態のＣＤ−Ｒの出荷を、信号面に自己粘着性シートを貼着し、次いで不織布等の袋に入れるという簡易な包装で行えるようになり、プラスチックトレイやケースが不要となり、出荷に要するトータルコストを低減させることが可能となる。また、このことは近年の省資源問題や環境問題にも応えることとなる。
【００１１】
また、信号面の保護のために使用した自己粘着性シートは、信号面から剥離してレーベル面に貼着することが可能であり、さらにレーベル面に貼着した後も再剥離再貼着が可能である。したがって、レーベル面に貼着する情報記入用の粘着シートとして好適に使用することが可能となる。
【００１２】
【実施例】
以下、本発明の実施例を図面に基づいて具体的に説明する。なお、前述の図も含めて各図中同一符号は同一または同等の構成要素を表している。
【００１３】
図１（ａ）は、図２に示したＣＤ−Ｒの信号面Ａに自己粘着性シート５を貼着し、その信号面Ａを保護した状態の断面図である。
【００１４】
このような自己粘着性シート５としては、自己粘着性を示す種々の樹脂シートを使用することができるが、保護すべき光記録媒体の信号面の材質に応じて種々選択することが好ましい。例えば、保護すべき光記録媒体の信号面がポリカーボネートまたはアモルファスポリオレフィンである場合には、厚さ１４０μｍ程度、接着力３ｇ／２５ｍｍ程度の塩化ビニルシート（日本加工製紙（株）製、ワンタック）を好適に使用することができる。
【００１５】
このような塩化ビニルシートからなる自己粘着性シート５は、一旦信号面Ａに貼着させた後剥離し、図１（ｂ）に示したようにレーベル面Ｂに貼着させることができる。よって、この自己粘着性シート５にＣＤ−Ｒに格納する記録内容等の情報を記入しておけば、当該ＣＤ−Ｒの情報内容の表示を容易に行うことが可能となる。さらに、この自己粘着性シート５はレーベル面Ｂに貼着した後も剥離と貼着を繰り返すことができるので、自己粘着性シート５に記入した情報の訂正も容易に行うことが可能となる。
【００１６】
以上、本発明を、光記録媒体としてＣＤ−Ｒを例として説明したが、本発明はＣＤ−Ｒの他にＣＤ、ＭＯ、ＭＤ、ＬＤ等の光記録媒体にも適用できることはいうまでもない。
【００１７】
【発明の効果】
本発明によれば、光記録媒体の信号面を簡便に低コストに保護できるようになり、またレーベル面への情報の記入・訂正も容易となる。
【図面の簡単な説明】
【図１】ＣＤ−Ｒの断面図である。
【図２】自己粘着性シートを信号面に貼着したＣＤ−Ｒの断面図（同図ａ）及び自己粘着性シートをレーベル面に貼着したＣＤ−Ｒの断面図（同図ｂ）である。
【符号の説明】
１  ポリカーボネート層、２  有機色素層、３  金層、４  樹脂層、５  自己粘着性シート、Ａ  信号面、Ｂ  レーベル面
【図１】
0003586813.tif 000002
【図２】
0003586813.tif 000003